(57)【要約】【課題】  来室した患者が被検者本人であることを操作者が検査する前に確実に確認することができるＸ線撮影装置を提供する。【解決手段】  来院した患者が受付の患者登録部２０で、患者の名前・生年月日・住所などを登録し、写真撮影を行い、ＩＤが発行され、そのデータが記憶装置に記憶される。検査室に設置された撮影装置の操作パネル４中央の表示パネル５ｂの写真表示ボタン１０ｍをＯＮし、情報表示器１１ｃに、検査依頼書などに記載されたＩＤ番号を番号投入ボタン１０ｋで投入すると、被検者の顔写真が患者登録部２０の記憶装置から読出され、情報表示器１１ｃに表示される。操作者は来室した患者から名前を聞き、表示された顔写真と名前を見て本人であることを確認する。検査前に必ずこの確認をして撮影を行う。【選択図】          図１
2005261854.tif 000002
【特許請求の範囲】
【請求項１】
被検者の撮影部位方向に向けてＸ線を照射するＸ線管装置と、前記Ｘ線管装置に一体的に取付けられた操作パネルと、その操作パネルに設けられ撮影情報を表示する表示パネルとを備えたＸ線撮影装置において、病院の受付時に患者の個人情報を登録するとともに写真撮影を行い患者のデータとして記憶する患者データ登録機構と、この患者データ登録機構のデータを前記操作パネルに伝送するための通信回線とを設け、患者の写真を含むデータを前記表示パネルに表示できるようにしたことを特徴とするＸ線撮影装置。
【発明の詳細な説明】
【技術分野】
【０００１】
本発明は、立位撮影台や水平撮影台と組合わせて一般撮影する天井懸垂式Ｘ線管保持装置を用いたＸ線撮影装置に係わり、特に、撮影前に被検者を検査対象本人と確認するチェックシステムのＸ線撮影装置に関する。
【背景技術】
【０００２】
天井走行式のＸ線管保持装置を用いたＸ線撮影装置は、天井にレールを設け、これに懸架した台車から伸縮可能な支柱を吊設し、その下端に取付ブロックを介してＸ線管装置を取付けたもので、左右・前後走行、上下移動、及び、Ｘ線管装置の回動（垂直軸回り）、回転（水平軸回り）などが可能なＸ線管保持装置を使用し、水平撮影台や立位撮影台と組合わされて、Ｘ線管保持装置が左右・前後走行、上下移動の固定に電磁ロック式のものが用いられ、また、Ｘ線管装置の回動（垂直軸回り）設定には特定位置にストッパ手段による方式が用いられている。この天井走行式のＸ線管保持装置を用いれば、床に構造物が無いため、床面を有効に利用することができ、リーダ撮影台、ブッキー撮影台、Ｘ線透視撮影台等と組み合わせて撮影することができる（例えば、特許文献１参照。）。
【０００３】
図３に、天井からＸ線管装置１が懸垂され走行する天井懸垂式Ｘ線管保持装置と水平撮影台１２が配置されたＸ線撮影装置を示し、Ｘ線照射方向が水平撮影台１２のテーブル１２ａ方向に向けられた状態を示す。
天井懸垂式Ｘ線管保持装置は、天井に固定された長手動用の固定レールで長手動方向（Ｘ方向）に移動でき、その下部に短手動用の移動レールを備え、その移動レール上を短手動方向（Ｙ方向）に移動できるように、キャリッジ部７が取付けられ、Ｘ−Ｙ方向に移動することができる。そして、下部に上下に伸縮する支柱６を備え、下端に取付ブロック８を介してＸ線可動絞り２付きのＸ線管装置１とハンドル９と操作スイッチと表示パネル５を設けた操作パネル４を懸垂する。
操作パネル４には、天井のキャリッジ部７の長手動をロック解除するスイッチ、短手動をロック解除するスイッチ、および支柱６の伸縮による上下動をロック解除するスイッチ、及び、Ｘ線管装置１の水平軸及び垂直軸回転のロック解除をするスイッチなどの操作スイッチが設けられ、これらのスイッチを解除してから天井のキャリッジ部７の移動、及び支柱６の伸縮、または、Ｘ線管装置１のロック解除用のスイッチを解除して、Ｘ線管装置１を取付ブロック８を介して水平軸回りに回転（管球水平軸回転）でき、また、垂直軸回りに特定の角度まで回転（管球垂直軸回転）することができる。
検査室には水平撮影台１２が配置されており、テーブル１２ａの下方に、撮影フィルムがカセッテに装填された受像部１３が備えられ、被検者をテーブル１２ａ上に載せて、テーブル１２ａを水平面で移動させ、また、昇降させて固定する。そして、操作パネル４のハンドル９と操作スイッチを操作してＸ線管装置１を移動させ、Ｘ線可動絞り２を被検者の撮影部位方向に位置させる。そして、Ｘ線を照射するとともにテーブルブッキーを作動させて撮影が行われる。
【０００４】
図４に、操作パネル４の正面図を示す。
操作パネル４は、円形状のハンドル９を備え、操作パネル４の円周部に、長手動フリーボタン１０ａ、短手動フリーボタン１０ｂ、３方向動フリーボタン１０ｅ、１０ｆおよび、図３に示す支柱６の伸縮用の上下動フリーボタン１０ｃ、１０ｄと、Ｘ線管装置１の回転用の水平軸回転フリーボタン１０ｇおよび回動（旋回）用の垂直軸回転フリーボタン１０ｈなどが配置され、Ｘ線管装置１の水平軸回転角度などを表示する表示パネル５ａが中央に設けられ、上部にセンタファインドモード表示ランプ１１ａと図３に示すキャリッジ部７の操作方向（操作パネル４の操作方向）を確認し点灯する操作方向表示ランプ１１ｂが設けられ、下部に照射野ランプボタン１０ｊとセンタファインドモード設定用のセンタファインドボタン１０ｉが設けられている。
操作者は、撮影する前に、被検者が本人であることを確認するために、検査室の外で検査依頼書に記載された名前を呼び、検査室に被検者を呼び寄せる。そして本人に名前を言ってもらう。操作者は本人が被検者であることを確認したうえで、被検者をテーブル１２ａ上に載せる。そして、操作者はＸ線管装置１の前方に位置する操作パネル４のハンドル９を握り、操作パネル４に設けられた操作ボタン（長手動フリーボタン１０ａ、短手動フリーボタン１０ｂ、３方向動フリーボタン１０ｅ、１０ｆおよび、図３に示す支柱６の伸縮用の上下動フリーボタン１０ｃ、１０ｄ）を選択することで、Ｘ（長手動方向）、Ｙ（短手動方向）、Ｚ（上下動方向）方向の電磁ロックが解除され、キャリッジ部７から懸垂された支柱６を、天井の固定レール、移動レール上でＸ−Ｙ方向に移動させ、懸垂部の支柱６を上下に伸縮し、Ｘ線管装置１を自由にＸ、Ｙ、Ｚ方向に移動させ、撮影位置にセットする。そして、支柱６の垂直軸に対して取付ブロック８を介してＸ線管装置１を回動（管球垂直軸回転）できる機能の垂直軸回転フリーボタン１０ｈを操作し、特定の角度に回動させ固定する。また、Ｘ線管装置１の取付軸を中心にして回転（管球水平軸回転）できる機能の水平軸回転フリーボタン１０ｇを操作し、Ｘ線管装置１を水平軸回りに回転させ固定する。上記の操作によりＸ線管装置１のＸ線放射口に取付けられたＸ線可動絞り２を被検者の撮影部位に向け固定して撮影する。
【特許文献１】特開平６−１６５７７３号公報  （第６頁、第６図）
【発明の開示】
【発明が解決しようとする課題】
【０００５】
従来のＸ線撮影装置は以上のように構成されているが、患者を取り間違えた医療ミスが発生しており、操作者は必ず撮影する前に、被検者が本人であることを確認するために、検査室の外、あるいは、検査室内の表示器等に患者の氏名・性別・年齢などの患者情報を見て、また、検査依頼書に記載された名前を呼び、検査室に被検者を呼び寄せる。そして本人に名前を言ってもらう。操作者は本人が被検者であることを確認していた。しかし、このような患者情報による確認では、その正確さは患者本人の応答に多分に左右されやすい。つまり、操作者が第３者として患者を確認することが困難であるという問題がある。
本発明は、このような事情に鑑みてなされたものであって、来室した患者が被検者本人であることを操作者が検査する前に確実に確認することができるＸ線撮影装置を提供することを目的とする。
【課題を解決するための手段】
【０００６】
上記の目的を達成するため、本発明のＸ線撮影装置は、被検者の撮影部位方向に向けてＸ線を照射するＸ線管装置と、前記Ｘ線管装置に一体的に取付けられた操作パネルと、その操作パネルに設けられ撮影情報を表示する表示パネルとを備えたＸ線撮影装置において、病院の受付時に患者の個人情報を登録するとともに写真撮影を行い患者のデータとして記憶する患者データ登録機構と、この患者データ登録機構のデータを前記操作パネルに伝送するための通信回線とを設け、患者の写真を含むデータを前記表示パネルに表示できるようにしたものである。
【０００７】
本発明のＸ線撮影装置は上記のように構成されており、病院の受付で来訪した患者が患者登録部に立ち寄り、患者の個人情報登録と写真撮影を行う。そして、患者の個人情報登録および写真撮影データが通信回線を介して検査室の撮影装置側に読み出され、天井懸垂式Ｘ線管保持装置などのＸ線管装置前面に装備された操作パネル中央の表示パネルに、上記患者の写真などのデータが表示される。操作者は、来室した患者から名前などを聞き、操作者が表示パネルに表示された写真及び個人情報と照らし合わせて、患者が被検者であることを確認してから撮影を行う。
【発明の効果】
【０００８】
本発明のＸ線撮影装置は上記のように構成されており、操作者は、来訪時に登録された患者の写真及び個人情報を、検査室に設置された装置の操作パネル中央の表示パネルに、通信回線を介して読み出すことができるので、患者本人の写真などを表示して、従来の患者名などによる確認に加え、患者の写真による確認を行うことにより、被検者を取り違える可能性を低減できるとともに、何らかの理由により患者に正常な応答を期待できない場合でも、操作者による患者確認が可能となる。
【発明を実施するための最良の形態】
【０００９】
本発明のＸ線撮影装置は、検査室に設置された装置の操作パネルに、来院時に登録撮影された患者の写真などの個人情報を表示し、操作者が本人確認できるように実現した。
【実施例】
【００１０】
図１は、本発明のＸ線撮影装置の１実施例を示す図である。
本発明のＸ線撮影装置は、病院の受付で患者が個人情報登録と写真撮影を行いそのデータを記憶する患者登録部２０と、図３に示す天井懸垂式Ｘ線管保持装置の下端に懸垂されたＸ線管装置１と、そのＸ線管装置１と一体となって取付けられハンドル９を有する操作パネル４と、患者登録部２０の登録データを操作パネル４に伝送するための通信回線２０ａと、操作パネル４に被検者の写真像及び個人情報を読出し表示する表示パネル５ｂと、被検者を図３に示すテーブル１２ａに載せ受像部１３でＸ線透過像を撮影する水平撮影台１２とから構成される。
【００１１】
本発明のＸ線撮影装置と従来の装置と異なるところは、図３に示す天井懸垂式Ｘ線管保持装置の下端に懸垂されＸ線管装置１の前面に取付けられた操作パネル４に、従来の装置は、図４に示すように、表示パネル５ａが設けられているが、センタファインドモードの操作方向表示ランプ１１ｂとＸ線撮影条件（ｋＶ、ｍＡｓ）、ＦＦＤ（Ｘ線管焦点からフィルムまでの距離）、管球水平軸回転角度などを表示するパネルで、操作者は来室した患者の名前を聞き、検査依頼書の名前と同じであることを確認し撮影する。これに対し本Ｘ線撮影装置は、上記の表示以外に検査依頼書のＩＤ番号を番号投入ボタン１０ｋで投入し、写真表示ボタン１０ｍを操作すると、中央の液晶表示部の情報表示器１１ｃに、被検者の顔写真及び名前が表示される。操作者はこの写真の個人情報を元に、来室した患者が本人であることを確認して撮影する。これにより患者の取り間違いをなくすることができる。
【００１２】
次に、本Ｘ線撮影装置の構成各部について図１、図３にしたがって説明する。
患者登録部２０は、来院した患者が病院の受付で患者管理システムの個人情報登録（名前、性別、生年月日、住所等と、顔写真撮影）を行い、ＩＤ番号が発行され、そのデータは登録され記憶装置に記憶される。
通信回線２０ａは、病院の患者管理システムの院内通信回路で構成され、各科に設置された装置に接続され、患者登録部２０の登録データが各科の装置側から読み出される。放射線科に設置された本Ｘ線撮影装置の操作パネル４の表示パネル５ｂから読み出すことができる。
Ｘ線管装置１は、天井懸垂式Ｘ線管保持装置の支柱６の下端に取付ブロック８を介して取付けられ、支柱６回りに管球垂直軸回転し、取付ブロック８の水平軸周りに管球水平軸回転する。そして、天井走行レールに沿ってＸ−Ｙ方向に移動でき、支柱６の伸縮によって上下動できる。
操作パネル４は、Ｘ線管装置１と一体となって取付ブロック８に取付けられ、ハンドル９を有し、周辺部に操作ボタン（長手動フリーボタン１０ａ、短手動フリーボタン１０ｂ、３方向動フリーボタン１０ｅ、１０ｆ、上下動フリーボタン１０ｃ、１０ｄ、水平軸回転フリーボタン１０ｇ、垂直軸回転フリーボタン１０ｈ）と、中央に表示パネル５ｂを設けている。
表示パネル５ｂは、操作パネル４の中央に設けられ、上部にセンタファインドモード表示ランプ１１ａとキャリッジ部７の操作方向（操作パネル４の操作方向）を確認し点灯する操作方向表示ランプ１１ｂが設けられ、中央に情報表示器１１ｃが設けられる。また、下部にセンタファインドモード設定用のセンタファインドボタン１０ｉが設けられている。
情報表示器１１ｃは、番号投入ボタン１０ｋの操作によって、患者の個人情報を患者登録部２０から読み出すことができる。検査依頼書のＩＤ番号を番号投入ボタン１０ｋで投入し、写真表示ボタン１０ｍを操作すると、被検者の顔写真及び名前が表示される。また、撮影前に必要な情報を表示する時は、番号投入ボタン１０ｋを操作すると、例えば、Ｘ線撮影条件（ｋＶ、ｍＡｓ）、ＦＦＤ（Ｘ線管焦点からフィルムまでの距離）、管球水平軸回転角度などを表示することができる。
水平撮影台１２は、被検者をテーブル１２ａに載せ、Ｘ線透過像をフィルムが装填されたカセッテの受像部１３にテーブルブッキー移動によって撮影することができる。また、同じ検査室に設置された立位撮影台（ブッキースタンド）を用いて胸部撮影などができる。また、同室に設置された一般透視撮影台を用いて、側面撮影を行うこともできる。
【００１３】
次に、本撮影装置を用いた操作手順を、図１、図２を参照しながら説明する。図２は、本Ｘ線撮影装置の患者登録と写真撮影から検査前の確認までの流れを示す。
来院した患者が、病院の受付に入り、病院の患者管理システムへ患者の名前、生年月日、住所などを登録し、顔写真を撮影し個人情報として患者登録部２０に登録し、記憶装置に格納される。その時、ＩＤ番号が発行される。
登録された患者データ情報は、放射線検査室に設置された装置に、装置側からＩＤ番号が操作パネル４の表示パネル５ｂの情報表示器１１ｃに、操作者が番号投入ボタン１０ｋを操作することによって転送される。
表示パネル５ｂの写真表示ボタン１０ｍをＯＮすると、情報表示器１１ｃに被検者の名前と顔写真が表示される。
操作者は、情報表示器１１ｃに表示された被検者の名前と顔写真を確認し、被検者に名前を語ってもらう。
操作者は、来室した患者が被検者であることを、情報表示器１１ｃに表示された名前と顔写真とによって確認する。
確認後、撮影を行い、検査を終了する。
【００１４】
実施例においては、患者登録部２０の個人情報のデータを、撮影装置側から読出すシステムで説明したが、受付登録時に、患者登録部２０側から検査科の装置側に転送するシステムにしても良い。検査科の装置にそのデータをプールしておき、撮影検査の順番がきた時に読み出し、被検者をコールして行うシステムにしても良い。
また、実施例では、天井懸垂式Ｘ線管保持装置の下端に懸垂されＸ線管装置１の操作パネル４について説明したが、天井懸垂式でなくても床上のスタンドアロンタイプの装置、又は透視撮影台に組み込まれた装置でも適用できる。
【図面の簡単な説明】
【００１５】
【図１】本発明のＸ線撮影装置の１実施例を示した図である。
【図２】本発明のＸ線撮影装置の動作フローを示す図である。
【図３】Ｘ線撮影装置のシステムを示した説明図である。
【図４】従来のＸ線撮影装置の操作パネルの表示パネルを示す図である。
【符号の説明】
【００１６】
１  Ｘ線管装置
２  Ｘ線可動絞り
４  操作パネル
５、５ａ、５ｂ  表示パネル
６  支柱
７  キャリッジ部
８  取付ブロック
９  ハンドル
１０ａ  長手動フリーボタン
１０ｂ  短手動フリーボタン
１０ｃ、１０ｄ  上下動フリーボタン
１０ｅ、１０ｆ  ３方向動フリーボタン
１０ｇ  水平軸回転フリーボタン
１０ｈ  垂直軸回転フリーボタン
１０ｉ  センタファインドボタン
１０ｊ  照射野ランプボタン
１０ｋ  番号投入ボタン
１０ｍ  写真表示ボタン
１１ａ  センタファインドモード表示ランプ
１１ｂ  操作方向表示ランプ
１１ｃ  情報表示器
１２  水平撮影台
１２ａ  テーブル
１３  受像部
２０  患者登録部
２０ａ  通信回線
【図１】
2005261854.tif 000003
【図２】
2005261854.tif 000004
【図３】
2005261854.tif 000005
【図４】
2005261854.tif 000006